(57)【要約】【課題】蓋部を開放状態で固定して、内容物を容易に取り出せるようにする。【解決手段】前板１、一対の側板２及び後板３を継代４を介し接続して周壁をなし、底板５及び天板６を閉じて封緘し、前板１に幅方向の切目線９を、両側板２に前後方向の切目線１０を、後板３に幅方向のヒンジ線１１をそれぞれ入れて、その下方部分及び上方部分をそれぞれ身部１５及び蓋部１６とし、切目線９，１０の切断に伴い、身部１５に対して蓋部１６がヒンジ線１１を軸に開閉するようにしたヒンジ開閉箱において、後板３の内面に継代４を貼着し、継代４を切り込んでヒンジ線１１より上方へ突出する舌片１２を設けると共に、後板３を切り込んでヒンジ線１１より下方へ突出する舌片１３を設け、蓋部１６を開けると、後板３の舌片１３の先端が継代４の舌片１２に当接して、蓋部１６が戻り止めされるようにする。【選択図】図３
2005200037.tif 000002
【特許請求の範囲】
【請求項１】
前板１、一対の側板２及び後板３を継代４を介し接続して周壁をなし、底板５及び天板６を閉じて封緘し、前板１に幅方向の切目線９を、両側板２に前後方向の切目線１０を、後板３に幅方向のヒンジ線１１をそれぞれ入れて、その下方部分及び上方部分をそれぞれ身部１５及び蓋部１６とし、切目線９，１０の切断に伴い、身部１５に対して蓋部１６がヒンジ線１１を軸に開閉するようにしたヒンジ開閉箱において、後板３の内面に継代４を貼着し、継代４を切り込んでヒンジ線１１より上方へ突出する舌片１２を設けると共に、後板３を切り込んでヒンジ線１１より下方へ突出する舌片１３を設け、蓋部１６を開けると、後板３の舌片１３の先端が継代４の舌片１２に当接して、蓋部１６が戻り止めされるようにしたことを特徴とするヒンジ開閉箱。
【発明の詳細な説明】
【技術分野】
【０００１】
この発明は、蓋部を開放状態で固定できるヒンジ開閉箱に関するものである。
【背景技術】
【０００２】
従来、スティック状の菓子を包装する箱として、図６に示すように、前板５１、一対の側板５２及び後板５３を継代５４を介し接続して周壁をなし、底板５５及び天板５６を閉じて封緘し、前板５１に幅方向に延びる平行な２本のジッパ形切目線５７を入れると共に、両側板５２に前端から後端へ向けて斜め上方に延びる切目線５８を入れ、後板５３に幅方向に延びるヒンジ線５９を入れて、その下方部分及び上方部分をそれぞれ身部６０及び蓋部６１とし、切目線５７，５８の切断に伴い、身部６０に対して蓋部６１がヒンジ線５９を軸に開閉するようにしたヒンジ開閉箱が使用されている。
【発明の開示】
【発明が解決しようとする課題】
【０００３】
しかしながら、上記のようなヒンジ開閉箱では、蓋部６１を開いても、手を離すと、ヒンジ線５９の折曲が反発で戻ろうとして、蓋部６１が閉じてしまうため、身部６０から菓子を取り出しにくいという問題がある。
【０００４】
そこで、この発明は、蓋部を開放状態で固定でき、内容物を容易に取り出せるヒンジ開閉箱を提供しようとするものである。
【課題を解決するための手段】
【０００５】
上記課題を解決するため、この発明は、前板、一対の側板及び後板を継代を介し接続して周壁をなし、底板及び天板を閉じて封緘し、前板に幅方向の切目線を、両側板に前後方向の切目線を、後板に幅方向のヒンジ線をそれぞれ入れて、その下方部分及び上方部分をそれぞれ身部及び蓋部とし、切目線の切断に伴い、身部に対して蓋部がヒンジ線を軸に開閉するようにしたヒンジ開閉箱において、後板の内面に継代を貼着し、継代を切り込んでヒンジ線より上方へ突出する舌片を設けると共に、後板を切り込んでヒンジ線より下方へ突出する舌片を設け、蓋部を開けると、後板の舌片の先端が継代の舌片に当接して、蓋部が戻り止めされるようにしたのである。
【発明の効果】
【０００６】
この発明に係るヒンジ開閉箱では、上記のように、継代と後板に設けた舌片の当接により、蓋部を戻り止めして、開放状態で固定することとしたので、身部から内容物を容易に取り出すことができる。
【発明を実施するための最良の形態】
【０００７】
以下、この発明の実施の形態を添付図面に基づいて説明する。
【０００８】
このヒンジ開閉箱は、図１に示すような板紙製のブランクから形成される。このブランクでは、前板１の両側に側板２が連設され、一方の側板２に後板３が、他方の側板２に継代４がそれぞれ連設されている。前板１及び後板３の下縁には底板５が、上縁には天板６がそれぞれ連設され、各側板２の上下縁には折曲片７が連設されている。
【０００９】
前板１には、中央部に下向き円弧状の切目を入れて押込片８が形成され、押込片８の両端から側板２との境界へかけてジッパ形切目線９が入れられている。各側板２には、切目線９の終端から後板３及び継代４との境界へ向けて斜め上方に延びる切目線１０が入れられ、後板３には、切目線１０の終端から幅方向のヒンジ線１１が入れられている。
【００１０】
継代４には、ヒンジ線１１より上方へ突出する舌片１２が、後板３には、ヒンジ線１１より下方へ突出する舌片１３がそれぞれ切込により設けられている。また、継代４には、舌片１２の鎖線で囲んだ部分ａにのみ、糊が付かないようにニスが塗布されている。さらに、側板２には、切目線１０の上方にＹ字形の折目線１４が入れられている。
【００１１】
上記のようなブランクを組み立てて、スティック状の菓子を包装するには、図２に示すように、前板１、一対の側板２及び後板３を菓子を包み込むように角筒状に折り曲げ、後板３の内面に継代４を貼着して周壁をなし、折曲片７を内側へ折り曲げ、底板５同士及び天板６同士を貼り合わせて封緘する。この組立状態において、切目線９，１０及びヒンジ線１１の下方部分は身部１５となり、上方部分は蓋部１６となる。
【００１２】
このように封緘した箱を開封する際には、図３及び図４に示すように、押込片８を押し込み、その抜出穴に指を入れて、切目線９を両側方向へ切断し、切目線１０を後方へ切断して、身部１５に対し蓋部１６をヒンジ線１１を軸として開く。
【００１３】
このとき、舌片１２は、部分ａのニスにより後板３に糊付されていないことから、後板３から分離して起立し、蓋部１６の回動に伴い、後板３の舌片１３の先端が継代４の舌片１２を押圧して前方に撓ませ、蓋部１６の回動角が９０°を超えると、継代４の舌片１２が弾性により復元し、蓋部１６が戻り止めされる。
【００１４】
このように、上記ヒンジ開閉箱では、蓋部１６を９０°以上開くだけで、蓋部１６が開放状態で固定されるので、身部１５の開口部から菓子を容易に取り出すことができる。
【００１５】
また、残存した菓子を保存しておく場合には、図５に示すように、側板２を折目線１４沿いに押し縮めるように折り曲げ、蓋部１６の下部を身部１５の上部に入れると、身部１５と蓋部１６の前部同士が係合するので、蓋部１６を閉止状態に保持することができる。
【００１６】
さらに、再度開封する場合には、押込片８の抜出穴に指を入れて、蓋部１６を容易に開くことができる。
【００１７】
なお、このヒンジ開閉箱の製造に際しては、継代４及び後板３をそれぞれ切り込んで舌片１２，１３を形成しているので、材料となる紙シートの使用量が従来のものより増加することもなく、製函時に特別な作業が必要になることもない。
【図面の簡単な説明】
【００１８】
【図１】この発明の実施形態に係るヒンジ開閉箱のブランクを示す図
【図２】同上の封緘状態を示す斜視図
【図３】同上の蓋部を開いた状態を示す斜視図
【図４】同上の拡大縦断側面図
【図５】同上の再封緘状態を示す斜視図
【図６】従来のヒンジ開閉箱の開封状態を示す斜視図
【符号の説明】
【００１９】
１  前板
２  側板
３  後板
４  継代
５  底板
６  天板
９，１０  切目線
１１  ヒンジ線
１２，１３  舌片
１４  折目線
１５  身部
１６  蓋部
【図１】
2005200037.tif 000003
【図２】
2005200037.tif 000004
【図３】
2005200037.tif 000005
【図４】
2005200037.tif 000006
【図５】
2005200037.tif 000007
【図６】
2005200037.tif 000008